(57)【要約】【課題】  ユーザが複数のコンテンツの中から、希望するコンテンツに、階層を辿ることなく容易に到達でき、コンテンツの提供を迅速、かつ確実に受ける。【解決手段】  テーブル２０１のテーブル面１０２にスクリーン１０１が設けられており、テーブル２０１内の投影装置２０３によって、広告や選択されたコンテンツなどが表示される。このスクリーン１０１には複数の赤外線ＬＥＤ２０４から均一に赤外線が照射されており、これによって生じるスクリーン１０１上に置かれた、識別情報付透明シート（例えば、文字による識別情報付透明シート(フローラ)１０４）に記載された文字などの識別情報（例えば、文字による識別情報(フローラ)１０３）の影を赤外線カメラ２０５により撮影し、その影から文字列を認識し、その文字列に対応したコンテンツを、識別情報付透明シートの領域内もしくはスクリーン１０１全体に表示する。【選択図】  図１
2006338429.tif 000002
【特許請求の範囲】
【請求項１】
テーブルのテーブル面にスクリーンを設け、テーブル内に設けた投影装置からスクリーンに映像を投影して表示させるテーブル型情報端末において、テーブル面上方に、テーブル面に置かれた物体の影を生じさせる手段を設けるとともに、テーブル内に、スクリーンを撮像するカメラと、カメラからの映像信号からスクリーン面での影を検出して、影に対応した処理を行なうテーブル型情報端末。
【請求項２】
請求項１において、物体の影を生じさせる手段は、スクリーンに投写される映像の光の波長領域とは異なる所定波長領域の光を放射する発光手段であって、スクリーン全体が所定波長領域の光によって均一に照射され、カメラは、該所定波長領域の光のみを受光することを特徴とするテーブル型情報端末。
【請求項３】
請求項１および２において、文字、バーコード、２次元コードなどの識別情報が記載された透明シートを、テーブル面に置くことで入力を行なう入力方式。
【請求項４】
請求項３において、識別情報が記載された透明シートをテーブル面に置くことで、表示中のコンテンツを、識別情報に対応したコンテンツに切替える、表示切替方式。
【請求項５】
請求項３において、識別情報が記載された透明シートをテーブル面に置くことで、表示中のコンテンツに変化を与える、表示切替方式。
【請求項６】
請求項４において、異なる識別情報が記載された複数の透明シートをテーブル面に重ねて置くことで、各々の透明シートに記載された識別情報の組み合わせに対応したコンテンツに切替える、表示切替方式。
【請求項７】
請求項４において、スクリーンよりも小さな枠を有し、かつ、識別情報が記載された透明シートをテーブル面に置くことで、表示中のコンテンツは切替えず、該枠内に、識別情報に対応するコンテンツを表示する、表示切替方式。
【発明の詳細な説明】
【技術分野】
【０００１】
本発明は、情報端末において、特に、テーブルの天板にスクリーンを設け、このスクリーンでユーザが要求するコンテンツを提供するテーブル型情報端末において、ユーザが希望するコンテンツの提供を容易に受けることができる手段を提供する。
【背景技術】
【０００２】
ユーザに所望するコンテンツを提供するための手段として、従来、複数のメニュー項目（メニューリスト）を表示し、このメニューリストから、希望するコンテンツのメニュー項目を選択することにより、選択したコンテンツを同じ表示画面に表示するようにした方法が知られている。
【０００３】
この方法では、希望するコンテンツが、メニューリストに表示されるまで、いくつかの階層をたどる必要があり、また、希望するコンテンツに到達できず、提供を受けることができない場合があるという問題点を有している。
【０００４】
この問題点を解決するための方法として、キーワードによる検索が知られている（例えば、特許文献１参照）。
【０００５】
上記特許文献１では、検索に使用したキーワードを、後日使用するために保存しておき、保存しておいたキーワードを検索に再度使用する方法や、一般的なキーワードのデータベースを用い、この中から検索キーワードを選択して検索することで、正確なキーワードを使用した検索を行なうことを可能にする方法が提案されている。
【０００６】
【特許文献１】特開２００１−２７３２９８号公報
【発明の開示】
【発明が解決しようとする課題】
【０００７】
街角や、店舗内などに設置される情報端末では、ユーザがどのようにして希望するコンテンツを探し出し、コンテンツの提供を受けるかという点について、十分に配慮されていないため、ユーザが所望するコンテンツの提供を受けるためには、多くの操作を必要とし、また、希望するコンテンツの提供を受けられないこともあるという問題点を有している。
【０００８】
本発明の目的は、上記問題点を解決し、ユーザが希望するコンテンツへ容易に到達し、コンテンツの提供を迅速かつ、確実に受けることができる手段を提供することにある。
【課題を解決するための手段】
【０００９】
テーブルのテーブル面にスクリーンを設け、テーブル内に設けた投影装置からスクリーンに映像を投影して表示させるテーブル型情報端末において、テーブル面上方に、テーブル面に置かれた物体の影を生じさせる手段を設けるとともに、テーブル内に、スクリーンを裏側から撮影するカメラを設け、カメラからの映像信号からスクリーン面での影を検出して、影に対応した処理を行なう。また、物体の影を生じさせる手段は、前記投影装置からスクリーンに投影される映像の光の波長領域とは異なる所定波長領域の光を放射する発光手段であって、スクリーン全体がこの光によって均一に照射され、カメラは、この所定波長領域の光のみを受光する。そして、スクリーン上に識別情報の記載された透明シートを置くことで、識別情報によって生じる影から識別情報を認識し、対応するコンテンツへ表示を切替える、もしくはシートの領域内に対応するコンテンツを表示する。これらにより、ユーザは所望するコンテンツへ容易に到達でき、コンテンツの提供を迅速、かつ確実に受けることができる。
【発明の効果】
【００１０】
本発明によると、ユーザは、所望するコンテンツの提供を簡単かつ、確実に受けることができ、また、メニューリストが不要となるため、ユーザによる操作がない状態の時には、広告などのコンテンツを大きく表示することができ、また、コンテンツの追加を行なう際には、識別情報の記載された透明シートと、それに対応したコンテンツを用意すればよく、コンテンツの追加を容易に行なうことができる。
【発明を実施するための最良の形態】
【００１１】
以下、本発明の実施形態を図面により説明する。
【００１２】
図１は本発明による表示切替えの一実施例であり、本実施例について、以下、図を用いて説明する。
【００１３】
図２は図１に示す実施例における装置の一構成例における断面図である。
【００１４】
図２において、テーブル２０１の天板の上面、すなわち、テーブル面１０２には、スクリーン１０１が設けられている。また、テーブル面１０２の上方に複数の赤外線ＬＥＤ２０４が設けられ、スクリーン１０１全体にほぼ均一の強度で赤外線が照射される。テーブル２０１内部には、制御装置２０２と、投影装置２０３と、赤外線カメラ２０５が設けられており、制御装置２０２は、ＣＰＵなどを備え各部の制御や信号処理を行い、投影装置２０３は、制御装置２０２より入力された映像信号をスクリーン１０１に投影する。また、赤外線カメラ２０５は、赤外線ＬＥＤ２０４から赤外線が照射されるスクリーン１０１を裏側から撮影する。
【００１５】
図３は、図１に示す実施例における機能構成の一例を示すブロック図である。
【００１６】
図３において、制御装置２０２は、制御部３０１、コンテンツデータベース３０２およびコンテンツＩＤ判定表３０３からなり、制御部３０１は、コンテンツＩＤ判定表３０３の情報をもとに、コンテンツデータベース３０２に格納されたコンテンツを取得し、コンテンツを表示する映像信号を投影装置２０３に入力する。投影装置２０３は、制御部３０１より入力された映像信号を、スクリーン１０１に投影する。赤外線カメラ２０５は、スクリーン１０１を裏側から撮影し、映像信号を制御部３０１に入力する。制御部３０１は、入力された映像信号をからスクリーン１０１上の物体によってスクリーン１０１に生じる影を検出し、影の位置や形状に応じた処理を行い、表示内容に反映する。
【００１７】
図４は、図３におけるコンテンツデータベース３０２とコンテンツＩＤ判定表３０３の一例を模式的に示す図である。
【００１８】
図４において、コンテンツデータベース３０２には、コンテンツファイルがそれぞれ固有のコンテンツＩＤが付与されて格納されており、また、コンテンツＩＤ判定表３０３には識別情報に対応する識別情報ＩＤ、および複数の識別情報の組み合わせに対応する識別情報ＩＤと、各識別情報ＩＤに対応するコンテンツＩＤが定義されている。
【００１９】
図１、図２および図３において、通常コンテンツ１０７がスクリーン１０１に表示されている状態で、文字による識別情報(フローラ)１０３が記載された識別情報付透明シート(フローラ)１０４が、スクリーン１０１上に置かれると、赤外線ＬＥＤ２０４より照射された赤外線が、文字による識別情報(フローラ)１０３によってさえぎられ、テーブル２０１内部に設けられた赤外線カメラ２０５にまで到達しないため、文字による識別情報(フローラ)１０３は、影として撮影される。赤外線カメラ２０５はこの影を撮影した映像を制御部３０１に入力する。制御部３０１は入力された映像に含まれる文字による識別情報(フローラ)１０３によって生じた影から、文字列「フローラ」を認識し、これに対応するコンテンツＩＤ「C-00001」を、コンテンツＩＤ判定表３０２によって判定し、コンテンツＩＤ「C-00001」に対応するコンテンツファイル「フローラ白 コンテンツファイル」をコンテンツデータベース３０２より取得し、投影装置２０３によって、スクリーン１０１に表示する。なお、図１に示す選択コンテンツ(フローラ白)１０８は、コンテンツファイル「フローラ白 コンテンツファイル」の表示結果である。
【００２０】
また、スクリーン１０１上に識別情報付透明シート(フローラ)１０４が置かれ、選択コンテンツ(フローラ白)１０８がスクリーン１０１に表示されている状態で、文字による識別情報(黒)１０５が記載された識別情報付透明シート(黒)１０６が、識別情報付透明シート(フローラ)１０４の上に重ねて置かれると、上記と同様に、制御部３０１は、入力された映像に含まれる文字による識別情報(フローラ)１０３と文字による識別情報(黒)１０５とによって生じた影から、「フローラ」と「黒」とを、それぞれ別の文字列として認識し、これらの組み合わせに対応するコンテンツＩＤ「C-00002」を、コンテンツＩＤ判定表３０２によって判定し、コンテンツＩＤ「C-00002」に対応するコンテンツファイル「フローラ黒 コンテンツファイル」をコンテンツデータベース３０２より取得し、投影装置２０３によって、スクリーン１０１に表示する。なお、図１に示す選択コンテンツ(フローラ黒)１０９はコンテンツファイル「フローラ黒 コンテンツファイル」の表示結果である。
【００２１】
図５は、識別情報付透明シートの例である。
【００２２】
図１に示す実施例では、識別情報として文字を透明シートに記載しているが、例えば、バーコードによる識別情報５０５や、２次元コードによる識別情報５０７を透明シートに記載してもよい。
【００２３】
図６は、図１に示す実施例における動作の一例を示すフローチャートであり、図７は、図１に示す実施例におけるスクリーン上の状態と撮像画像との関係を示す図である。
【００２４】
ユーザによる操作がない状態では、スクリーン１０１に、広告などの通常コンテンツ１０７が表示される（ステップ６０１）。このとき、赤外線カメラ２０５は撮像（ステップ６０２）を繰り返し行い、制御部３０１に入力する。制御部３０１は入力された画像に影が存在するか否かを判定する（ステップ６０３）。
【００２５】
ここで、図１において、通常コンテンツ１０７が表示されている状態で、文字による識別情報(フローラ)１０３が記載された、識別情報付透明シート(フローラ)１０４が、スクリーン１０１上に置かれると、撮像画像は、透明シートが置かれた状態における撮像画像７０２のようになる。制御部３０１は、撮像された画像に影が存在するか否かを判定し（ステップ６０３）、影が存在するため、撮像された画像の影から文字認識処理を実施し（ステップ６０４）、文字による識別情報(フローラ)１０３によって生じた影から文字列「フローラ」が認識できると、コンテンツＩＤ判定表３０３によってコンテンツＩＤを判定し（ステップ６０５）、該コンテンツＩＤが、選択されているコンテンツのコンテンツＩＤと同一であるかを判定する（ステップ６０６）。ここでは、選択されているコンテンツのコンテンツＩＤは存在しないため、選択されているコンテンツのコンテンツＩＤとは異なるコンテンツＩＤであると判定し、影画像とコンテンツＩＤを更新し（ステップ６０７）、コンテンツＩＤに対応したコンテンツファイル「フローラ白 コンテンツファイル」を表示する（ステップ６０８）。
【００２６】
また、ステップ６０４において文字列の認識に失敗した場合には、選択されたコンテンツを表示しているかを判定し（ステップ６０９）、選択されたコンテンツを表示している場合には、該コンテンツが選択された時の影が、新たに撮像した画像の影に含まれるかを判定し（ステップ６１０）、含まれる場合（例えば、図７(b)、図７(c)の順に操作されたとき）、該コンテンツが選択された時の影と新たに撮像した影とで一致しない部分（例えば、図７(b)、図７(c)の順に操作されたとき、図７(d)のコンテンツ選択時の影と一致しない部分７０６）を、ユーザ操作情報として表示中のコンテンツに伝える。また、ステップ６１０において、コンテンツが選択された時の影が、新たに撮像した画像の影に含まれない場合、透明シートがスクリーン１０１上より取り除かれたものと判断し、保持している影画像とコンテンツＩＤをクリアし（ステップ６１２）、通常コンテンツ１０７を表示する（ステップ６１３）。また、ステップ６０９において、選択されたコンテンツを表示していない場合には、撮像した影を、ユーザ操作情報として表示中のコンテンツに伝える。
【００２７】
また、ステップ６０３において、入力された画像に影が存在しない場合には、選択されたコンテンツを表示しているかを判定し（ステップ６１５）、存在する場合には保持している影画像とコンテンツＩＤをクリアし（ステップ６１６）、通常コンテンツ１０７を表示する（ステップ６１７）。
【図面の簡単な説明】
【００２８】
【図１】本発明による表示切替えの一実施例である。
【図２】図１に示す実施例における装置の一構成例における断面図である。
【図３】図１に示す実施例における機能構成の一例を示すブロック図である。
【図４】図３におけるコンテンツデータベースとコンテンツＩＤ判定表の一例を模式的に示す図である。
【図５】図１に示す実施例における識別情報付透明シートの例を示す図である。
【図６】図１に示す実施例における動作の一例を示すフローチャートである。
【図７】図１に示す実施例におけるスクリーン上の状態と撮像画像との関係を示す図である。
【符号の説明】
【００２９】
１０１…スクリーン、１０２…テーブル面、１０３…文字による識別情報(フローラ)、１０４…識別情報付透明シート(フローラ)、１０５…文字による識別情報(黒)、１０６…識別情報付透明シート(黒)、１０７…通常コンテンツ、１０８…選択コンテンツ(フローラ白)、１０９…選択コンテンツ(フローラ黒)、２０１…テーブル、２０２…制御装置、２０３…投影装置、２０４…赤外線ＬＥＤ、２０５…赤外線カメラ、２０６…識別情報付透明シート、３０１…制御部、３０２…コンテンツデータベース、３０３…コンテンツＩＤ判定表、５０１…文字による識別情報(フローラII)、５０２…識別情報付透明シート(フローラII)、５０３…文字による識別情報(白)、５０４…識別情報付透明シート(白)、５０５…バーコードによる識別情報、５０６…識別情報付透明シート(バーコード)、５０７…２次元コードによる識別情報、５０８…識別情報付透明シート(２次元コード)、７０１…ユーザによる操作のない状態における撮像画像、７０２…透明シートが置かれた状態における撮像画像、７０３…識別情報によって生じた影、７０４…識別情報に手が重なっている状態における撮像画像、７０５…手によって生じた影、７０６…コンテンツ選択時の影と一致しない部分。
【図１】
2006338429.tif 000003
【図２】
2006338429.tif 000004
【図３】
2006338429.tif 000005
【図４】
2006338429.tif 000006
【図５】
2006338429.tif 000007
【図６】
2006338429.tif 000008
【図７】
2006338429.tif 000009